Podtech/llm-jp-corpus-v4-ja_patent huggingface dataset:
(57)【要約】      （修正有）【課題】食塩を一切使用しない完全無塩の梅干しを市販に供する。【解決手段】水洗いした梅を有機酸溶液に漬け込んで果肉を柔らかくなしたもので、また果肉表面に皺溝が形成される状態に自然乾燥させた適当箇数を一定容量のプラスチック或いはガラス瓶製容器内へ密封貯蔵させた製品。【選択図】図３
0003111204.tif 000002
【実用新案登録請求の範囲】
【請求項１】
梅の果実を水洗いしたものを、容器内で食酢又は酢酸溶液或いはクエン酸等の有機酸溶液で１〜２ヶ月間漬け込み、果肉が耳朶くらいの柔らかさになると取出し、戸外に於ける一定日数の自然乾燥で果肉表面に皺溝を形成して水分が手指に感ぜられぬ程度になった適当箇数をプラスチック或いはガラス瓶製容器内へ密封貯蔵させたことを特徴とする無塩梅干し。
【請求項２】
梅の果実と有機酸溶液の比率は前者の１ｋｇに対し、後者を７００ｍｌ〜９００ｍｌとなされたことを特徴とする請求項１記載の無塩梅干し。
【請求項３】
戸外での自然乾燥は２〜５昼夜となされたことを特徴とする請求項１又は２記載の無塩梅干し。
【請求項４】
２００ｇ〜１ｋｇの量でプラスチック或いはガラス瓶容器へ密封貯蔵されたことを特徴とする請求項１，２又は３記載の無塩梅干し。
【考案の詳細な説明】
【技術分野】
【０００１】
本考案は減塩を強いられる食生活者に対し、朗報となる無塩梅干しに関する。
【背景技術】
【０００２】
梅干しは通常その果実１ｋｇに対し１８０ｇ〜２００ｇの食塩を使用して漬け込むのであり、梅干しが健康に優れると言っても食塩の摂取を制限された減塩生活者には不自由を強いられるものとなっている。
ところで、これがために色々に工夫された減塩梅干しの提案がなされているが、当初から一切の食塩を使用しないで製品化された無塩梅干しは市販に供されるものとなっていない。
【特許文献１】特開平１０−３２３１５４号
【考案の開示】
【考案が解決しようとする課題】
【０００３】
本考案は上記の現状に鑑み、食塩を一切使用しない完全無塩な梅干しを市販に供せんとするものである。
【課題を解決するための手段】
【０００４】
本考案は梅の果実を良く水洗いしたものを、容器内で食酢又は酢酸溶液或いはクエン酸等の有機酸溶液で１〜２ヶ月間漬け込み、果肉が耳朶くらいの柔らかさになると取出し、戸外に於ける一定日数の自然乾燥で果肉表面に皺溝を形成して水分が失われるものとなった適当箇数をプラスチック或いはガラス瓶製容器内へ密封貯蔵させてなる製品である。
【０００５】
このさい、使用する梅の果実と有機酸溶液の比率は前者の１ｋｇに対し、後者を７００ｍｌ〜９００ｍｌとなすのであり、また戸外に於ける自然乾燥日数は２〜４昼夜程度となされる。また、密封貯蔵して取扱い製品となされる容器重量は凡そ２００ｇ〜１ｋｇとなされるのである。
【考案の効果】
【０００６】
食酢など有機酸は食品防腐のほか、人体の疲労回復やエネルギー源としての効用が唱えられており、従って本考案ではこれら食酢など有機酸を唯一使用して梅を漬け込み、食塩は一切使用することない完全無塩な梅干しとなすのであり、上記有機酢の健康効果と、梅干しが持つ本来の健康効果との相乗効果の図れるものであり、また長期的な保存も充分に可能になすことのできたものである。
【考案を実施するための最良の形態】
【０００７】
図１は本考案品製造の実施形態を示すものであって、１は梅の果実である。この梅は青梅が完熟する前の少し黄色化した時が最適であり、このような梅の一定量を容器２に入れ、且つ梅１ｋｇに対し凡そ７００ｍｌ〜９００ｍｌ程度の割合で食酢３を注ぎ、凡そ１〜２ヶ月間の漬け込みを行う。
【０００８】
図２は上記により漬け込まれた梅の果肉ｐが耳朶くらいの柔らかさになった時点で取り出された梅１’であり、図示例の如き金網容器４内へ平均的な並列状態となし、戸外で２〜４昼夜の自然乾燥を行うのである。ここに上記の乾燥日数の差は曇りや晴れなどの天候条件のためによるのであり、各梅１’の果肉ｐの部分の水分が放散し、且つその表面に一定深さの皺溝が形成されることにより、具体的には表面に０．２ｍｍ〜０．５ｍｍ程度の皺溝が形成され、また手指で果肉を摘んださい水分をその皮膚で感ぜられなくなった状態を目安にするのである。１”は該乾燥品である。
【０００９】
図３は上記の乾燥品１”の適当数をプラスチック或いはガラス容器内へ密封貯蔵させて販売用製品５となしたものであり、その製品容量は取扱いの簡便さから凡そ２００ｇ〜１ｋｇのものとなされる。密封貯蔵の期間は少なくとも２〜３ヶ月は行うのであり、長期では１年、２年、・・・とするのである。
【００１０】
本考案は以上の通り構成するものであり、食塩を一切使用してなく、食酢など有機酸のみを使用して製品化された無塩梅干しである。このさい製品の色は褐色を呈するものであるが、赤色化には従来通り紫蘇を使用したりする。なお、本考案品は何らの添加剤や調味剤などを加えたりしないで、有機酸で漬け込まれた果肉に程良い酸味や甘味があり、また梅の香味をそのままに備えたものとなっている。本考案者は上記の半年間密封貯蔵した製品を、街頭で多数の人に試食して貰ったところ、上記の如き好評価が得られたのである。従って、高血圧症の人でも安心して食することが可能であり、健康維持の増進に寄与すること大ならしめるものとなる。なお、当初の漬け液は梅の果汁が溶出しており、飲んで良く、また料理にも色々に使用できるものである。
【図面の簡単な説明】
【００１１】
【図１】梅を有機酸溶液で漬け込む状態を示すものである。
【図２】上記で漬け込んだ梅を自然乾燥する状態を示すものである。
【図３】製品図である。
【符号の説明】
【００１２】
１      梅
２      容器
３      酢酸溶液
５      製品
【図１】
0003111204.tif 000003
【図２】
0003111204.tif 000004
【図３】
0003111204.tif 000005
(57)【要約】      （修正有）【課題】チェーン状のアクセサリーにおいて、外観を阻害することなく、アクセサリーの係合・解除を容易に提供する。【解決手段】チェーン状のアクセサリーにおいて、外観を阻害することなく、棒状および円状の止め具を使用し、アクセサリーの係合・解除を容易に提供することとした。【選択図】図１
0003111400.tif 000002
【実用新案登録請求の範囲】
【請求項１】
チェーン状のアクセサリーにおいて、外観を阻害することなく、アクセサリーの係合・解除を容易に提供することを特徴とするアクセサリー止め具
【考案の詳細な説明】
【考案の詳細な説明】
【技術分野】
【０００１】本考案は、チェーン状のアクセサリーにおいて、アクセサリーの係合および解除を容易に提供する新規のアクセサリー止め具に関するものである。
【背景技術】
【０００２】従来、チェーン上のアクセサリーの止め具は、比較的形状が小さく、その係合・解除が容易でない構造となっている。
【考案が解決しようとする課題】
【０００３】チェーン状のアクセサリーにおいて、外観を阻害することなく、アクセサリーの係合・解除を容易に提供する。
【課題を解決するための手段】
【０００４】上記の課題を解決するために、本考案では、チェーン状のアクセサリーにおいて、外観を阻害することなく、棒状および円状の止め具を使用し、アクセサリーの係合・解除を容易に提供することとした。
【考案を実施するための最良の形態】
【０００５】本考案になる止め具について、図面に示す具体的な実施例にもとづいて説明する。
図１はチェーン状のアクセサリーおよびそれに付随する棒状および円状の止め具である【０００６】図１に示すチェーン状のアクセサリーは、アクセサリー本体（１）、棒状の止め具（２）および円状の止め具（３）により構成される。
【考案の結果】
【０００７】本考案は、上記のように構成され、棒状の止め具を円状の止め具に差し入れることにより、チェーン状のアクセサリーの質量を利用し、容易に係合することが可能となり、また棒状の止め具を円状の止め具から抜出することにより、容易に解除することが可能となり、優れた効果を発揮する。
【図面の簡単な説明】
【０００８】
【図１】図１は、チェーン状のアクセサリーにおいて、アクセサリー本体（１）、棒状の止め具（２）および円状の止め具（３）により構成されるアクセサリーを示し、アクセサリーとして解除された状態を示す。
【図２】図２は、止め具を使用してチェーン状のアクセサリーを係合した状態を示す。
【符号の説明】
【０００９】１  チェーン状のアクセサリー本体
２  棒状の止め具
３  円状の止め具
【図１】
0003111400.tif 000003
【図２】
0003111400.tif 000004
【手続補正書】
【提出日】平成17年3月16日(2005.3.16)
【手続補正１】
【補正対象書類名】実用新案登録請求の範囲
【補正対象項目名】全文
【補正方法】変更
【補正の内容】
【実用新案登録請求の範囲】
【請求項１】
チェーン状のアクセサリーにおいて、チェーンの一端を棒状の止め具とし、他の一端を円状の止め具とし、棒状の止め具を円状の止め具に挿入あるいは抜き出すことにより、アクセサリーの外観を阻害することなく、アクセサリーの係合および解除を容易に提供することを特徴とするアクセサリー止め具。
(57)【要約】      （修正有）【課題】ディスプレイの中心方向でしか立体視ができない裸眼立体視ディスプレイを一定方向から見るようなフォトフレームを提供する。【解決手段】映像データ記憶装置（現在、市販されている小型の映像データ記憶装置、例えばコンパクト・フラッシュ・メモリなど）、映像処理基板（データを読込み、処理し、画像出力をする、セントラル・プロセッシング・ユニットと呼ばれる装置）、裸眼立体視液晶ディスプレイ、フォトフレームを組み合わせ一体化し、一定の位置から見ることの多いフォトフレームに組み込むことにより、従来の写真や動画などでは感じられなかったリアルな存在感のある裸眼立体映像を観ることが可能になり、現状の欠点を解消しようとするものである。【選択図】図１
0003111391.tif 000002
【実用新案登録請求の範囲】
【請求項１】
映像データ記憶装置、映像処理基板、裸眼立体視液晶ディスプレイ、フォトフレームを組み合わせ一体化した裸眼立体視フォトフレーム。
【請求項２】
机上やサイドテ−ブル上、仏壇内の引出し上や段上に置いて使用する事を特長とする、請求項１に記載の裸眼立体視フォトフレーム。
【請求項３】
室内の壁面や仕切り壁の壁面に掛けて使用する事を特長とする、請求項１に記載の裸眼立体視フォトフレーム。
【考案の詳細な説明】
【技術分野】
【０００１】  偏光メガネなどの装置なしで、手軽に立体映像を見ることが出来るフォトフレームに関するものである。
【背景技術】
【０００２】  これまで立体映像を見るには、偏光メガネや液晶メガネをかけるなどの不便さがつきまとった。また裸眼立体視ディスプレイにおいても、ディスプレイの中心方向でしか立体視できないという弱点があった。
【考案の開示】
【考案が解決しようとする課題】
【０００３】  映像データ記憶装置（現在、市販されている小型の映像データ記憶装置、例えばコンパクト・フラッシュ・メモリなど）、映像処理基板（データを読込み、処理し、画像出力をする、セントラル・プロセッシング・ユニットと呼ばれる装置）、裸眼立体視液晶ディスプレイ、フォトフレームを組み合わせ一体化することにより、ディスプレイの中心方向でしか立体視ができない裸眼立体視液晶ディスプレイの弱点を、一定の位置から見ることの多いフォトフレームに組み込むことにより克服し、従来の写真や動画では感じられなかったリアルで存在感のある立体映像を見ることを実現し、前述の欠点を解消しようとするものである。
【課題を解決するための手段】
【０００４】  ディスプレイの中心方向でしか立体視ができない、裸眼立体視ディスプレイの弱点を、一定の位置から見ることの多いフォトフレームに組込み、物の上に置いた状態や壁面に掛けた状態で使用することで、ディスプレイの中心方向の観察位置と距離を固定する状態を自然に作り出す事により克服し、問題点を解決している。
【考案の効果】
【０００５】  前述の様に、本考案の裸眼立体視フォトフレームは手軽に裸眼立体視映像を視聴できるため、故人やペットの追悼をはじめとするさまざまな場面で、より深い映像体験を実現することができる。また、必要に応じて映像データを、ネットワークを介してダウンロードすることもできるため、メモリアル以外の用途も期待できる。
【考案を実施するための最良の形態】
【０００６】  裸眼立体視フォトフレームを、机上やサイドテーブル上、仏壇内の引出し上や段上に置く、または室内の壁や仕切り壁の壁面に掛けるなどの状態で使用する。
【実施例】
【０００７】  以下、添付図面に従って、一実施例を説明する。
先ず機器の組み合わせとしては、１の映像データ記憶装置と２の映像処理基板を６のフォトフレーム（台座部分）内部に設置、３の裸眼立体視液晶ディスプレイを４のフォトフレーム（枠部分）に組込み、これら二つの部分を５のフォトフレーム（支柱部分）で一体化させた構造となっている。
また、壁掛け用においては、３の裸眼立体視液晶ディスプレイを４のフォトフレーム（枠部分）に組込み、そのフレームの裏側に１の映像データ記憶装置と２の映像処理基板を埋め込んである。
スウィッチ（自動・手動選択式）を入れると、１の映像データ記憶装置からデータが２の映像処理基板へ送られ、読込み処理を経て、３の裸眼立体視液晶ディスプレイに立体映像が映し出されると言う仕組みである。
そして最適な視聴環境を設定する為に、フォトフレームを机上、サイドボード上、仏壇内の引き出し上や段上などに設置したり、室内の壁面や事務所内の仕切り壁など身近な壁面に掛けたりすることで、閲覧者の視点を固定させることができ、その事によりディスプレイの中心方向でしか立体視ができない裸眼立体視ディスプレイの弱点を克服し、従来の写真や動画などでは感じられなかったリアルな存在感のある裸眼立体映像を観賞することができる。
【産業上の利用可能性】
【０００８】  本考案の裸眼立体視フォトフレームで観賞する立体映像としては、仏壇内の遺影、犬や猫、小鳥などのペット、アイドル等の人物等の内容を現在開発中である。
またその他に、本考案は大きさや形状を変える事等により、広告用や展示映像用のディスプレイ、また医療分野での人体構造学習や自然科学分野における植物や動物の標本学習また、一般企業における販売見本の紹介等にも活用できる可能性を持っている。
【図面の簡単な説明】
【０００９】
【図１】本考案の正面図
【図２】本考案の側面図
【図３】本考案の正面図（壁掛け仕様の場合）
【図４】本考案の背面図（壁掛け仕様の場合）
【図５】本考案の側面図（壁掛け仕様の場合）
【符号の説明】
【００１０】    １  映像データ記憶装置
２  映像処理基板
３  裸眼立体視液晶ディスプレイ
４  フォトフレーム（枠部分）
５  フォトフレーム（支柱部分）
６  フォトフレーム（台座部分）
【図１】
0003111391.tif 000003
【図２】
0003111391.tif 000004
【図３】
0003111391.tif 000005
【図４】
0003111391.tif 000006
【図５】
0003111391.tif 000007
(57)【要約】【課題】  従来カメラや計測装置の取り付け台等の送りネジによる位置決め微調整に於いて調整ネジの回転角が小さすぎたり、送り速度が遅すぎる等の問題が多かった。【解決手段】  微調整時は固定側と移動側の送りピッチに差を付け送りネジの１回転に対し移動側の移動量は送りネジのピッチ差だけとなり細密な調整が可能になる。又通常送り時には固定側送りネジ受けの外形左ネジ型長ナットを送りネジと共回しすることで送りネジ１回転に対する移動側の移動量は送りネジの移動側１ピッチと長ナットの左ネジの１ピッチを加えた量と成りスピーデイな移動が可能になる。【選択図】        図２
0003111397.tif 000002
【実用新案登録請求の範囲】
【請求項１】
１本の送りネジの先端部を移動側と螺合するピッチの小さい送りネジとし固定部に螺合する送りネジ部は、移動部より少しピッチの大きい送りネジとして固定部に螺合することを特徴とす装置で、送りネジ１回転で移動部と固定部の送りネジのヒッチの差だけ移動部が移動する細密位置決め送りネジ機構。
【請求項２】
請求項１の固定部に螺合する送りネジ部を外形左ネジの外側から回転出来るようにした長ナットで受けこの長ナットを固定部に螺合することを特徴とする装置で送りネジと長ナットを同時同方向に回す事で、送りネジ１回転で移動部は移動部送りネジ１ピッチと長ナットの外形ネジのピッチを加えた量だけ移動する。又長ナットを回さなければ請求項１の動作となる細密位置決め送りネジ機構。
【考案の詳細な説明】
【技術分野】
【０００１】  本考案は、各種測定装置・測定用カメラ台等の位置決めの為の送り機構に関するものである。
【背景技術】
【０００２】  従来のネジ送り機構では、送りネジ１回転で送りネジ１ピッチ分の移動で細密調整が困難で、ネジピッチを細かくするにも限界があり一般移動時の時間が長くなる等の問題があった。【０００３】押しネジ式の場合は移動範囲が少なく而も２ヵ所同時、或いは交互に調整を行はねばならず実用には向かなかった。
【特許文献】
【非特許文献】
【考案の開示】
【考案が解決しようとする課題】
【０００４】  送りネジの１回転に対する送り量を変化することを考える。
【課題を解決するための手段】
【０００５】  移動側と固定側それぞれにピッチの違うタップ孔を設け、ネジ径は同じでも異径ても良いが出来れば移動側が固定側の谷径に同じか細めの方が望ましい例えば（Ｍ４−Ｐ＝０．７とＭ４．５−Ｐ＝０．７５）の様にし段付きの異ピッチの送りネジを使用することで送りネジ１回転で移動側の移動量は送りネジのピッチ差（例のばあい０．０５）となる。【０００６】  固定側ネジ孔を外形ネジ型長ナットの左ネジ（例としてＭ６−Ｐ＝１）とすることでナットと送りネジを同時同方向に回すことで移動側の送り量は送りネジ１回転に付き移動側送りネジのピッチに固定側ナットのピッチを加えた量（１＋０．７＝１．７）となる。
【考案の効果】
【０００７】本考案の実施に拠って小型で可変ピッチの細密位置決め送りネジ機構が提供できる。
【考案を実施するための最良の形態】
【０００８】  計測用カメラ取り付け台の微動機構として細密調整がネジの回転角度が大きく取れるため調整がしやすくなる。
【実施例１】
【０００９】  図１は本考案の細密調整機構の説明図で、固定部（１）に送りネジ（４）に拠って螺合する送りネジ軸（６）の先端部は固定部送りネジ（４）より細かいピッチの送りネジ（３）によって移動部（２）に螺合していて送りネジ軸（６）の１回転に対する移動部（２）の移動量は送りネジ（３）（４）のピッチの差だけ移動する様になる。
【実施例２】
【００１０】  図２は本考案の実施例であって細密調整に就いては実施例１の通りであるが微細調整に入る前迄の普通送りの場合は僅かな回転で大きく移動させたいので、送り軸（６）の固定側送りネジ（４）を外形左ネジの長ナット（５）で受け止め、長ナットの外形左ネジを固定部に螺合させてある。この様にすると長ナット（５）と送り軸を同時に回転することで送り軸（６）の１回転に対し移動側（２）の移動量は外形左ネジのピッチと送りネジ（３）のピッチを加えた量となる。
【産業上の利用可能性】
【００１１】  各方面全ての機器類の位置決め微調整機構として使用出来る。
【図面の簡単な説明】
【００１２】
【図１】  本考案の微細調整機構の説明図である。
【図２】  本考案の実施例の説明図である。
【符号の説明】
【００１３】  １……固定部
２……移動部
３……移動部側送りねじ
４……固定部側送りねじ
５……外形左ネジ長ナット
６……送り軸
【図１】
0003111397.tif 000003
【図２】
0003111397.tif 000004
【手続補正書】
【提出日】平成17年3月22日(2005.3.22)
【手続補正１】
【補正対象書類名】実用新案登録請求の範囲
【補正対象項目名】全文
【補正方法】変更
【補正の内容】
【実用新案登録請求の範囲】
【請求項１】
１本の送りネジの先端部を移動部に細かいピッチの送りネジで螺合させ固定側は移動側より少しピッチの大きい送りネジに螺合させ、送りネジ１回転による固定側に対する移動側の移動量が移動側と固定側の送りネジのピッチ差だけの細密位置決め送りネジ機構。
【請求項２】
請求項１の固定側送りネジを外経に逆ネジを切った長ナットで受け、固定側は長ナットの逆ネジに螺合させ送りネジと長ナットを同時回転した場合送りネジ１回転に対し、固定側に対し移動側は移動側送りネジのピッチと長ナットのピッチの和だけ大きく移動する様固定側を二重構造にした細密位置決め送りネジ機構。
(57)【要約】      （修正有）【課題】詰め替え作業の負担を軽減するとともに、液剤収容の軟質袋を立てたまま台所や浴室に安置することができるクリップキャップを提供する。【解決手段】クリップ部の一対の桿体には、たて半割筒の基部のそれぞれ対応する桿体を一体に成型されハサミにより切開して生ずる袋地はデイスペンサーのキャップの螺条と前記した桿体とともに成型されているたて半割の部分間に介挿され、かつ容易に螺締できる。かくて、安価に提供された詰め替え用袋はデイスペンサーの要部として活用されるし、また、メタルワイヤー等で作成されるような簡単な架台を付属させることにより、住宅内の任意の箇所において使い勝手よく陳列することも自由である。【選択図】図１
0003111398.tif 000002
【実用新案登録請求の範囲】
【請求項１】
軟質袋（１）に対応するクリップ部（２）と周知のボトルキャップに対応するボトル口部（３）とを有してなり、前記クリップ部（２）はそれぞれがたがいにほぼ同長かつ長手においてたがいに向き合って並ぶ一対の桿体（２１），（２２）の一端部をたがいに弾性的に接続するとともに、前記桿体（２１），（２２）の他端部をたがいに繁留可能に形成してなり、
前記ボトル口部（３）は一対のたて半割筒（３１），（３２）の基部をそれぞれ前記した桿体（２１），（２２）と一体に成型するとともに前記たて半割筒（３１），（３２）の筒面に螺條（３３）を設け、
前記たて半割筒（３１），（３２）と前記したボトルキャップの筒面間に、軟質袋１を切開した袋地をはさんで螺締できるようにしてなるクリップキャップ。
【考案の詳細な説明】
【考案の詳細な説明】
【技術分野】
【０００１】この考案は、液状洗剤やシャンプーなど、日常生活において多用される液剤の使用技術の分野に属する。
【考案の解決しようとする課題】
【０００２】前記した液剤は合成樹脂技術の発達とともにその多くはガラス瓶入りから、プラスチック瓶入りへと容器の素材が変わった。そして特にプラスチック瓶入りの場合は小型ポンプつきのデイスペンサーが比較的安価に提供されるようになった。しかしながら、安価であると言っても小型であるのにかかわらず構造が複雑なため、原価切下げには限界がある。また液剤消費後のデイスペンサーは再利用するか又は廃棄の外はないが、プラスチックごみが不燃ごみとしての取扱を受けているのは周知の通りである。最近はビニール袋又はポリエチレン袋などによる軟質袋に詰めて「詰め替え用」と称し液剤の販売促進を試みている。しかしながら、前記したデイスペンサーのキャップをボトル口から取外し、「詰め替え用」の液をそのボトル口に注入することは普通の家庭主婦などにとって容易でなく、販売促進効果にも限界が見える。即ち、このような詰め替え作業の負担を軽減することはこの考案が解決しようとする課題の一つである。
【０００３】この考案の解決しようとするもう一つの課題は液剤が収容されている軟質袋を立てたまま台所や浴室に安置する手段を提供することである。
【背景技術】
【０００４】ボトルキャップの設けのあるクリップ部をもつ本考案に類比できるような技術は未知であるが、単に軟質の袋口を閉鎖するものとしては特公平２−６０５８０、特開２００３−１０４３９７、実公昭４０−１６７８５などが知られている。
【考案を実施するための最良の形態】
【０００５】図１ないし図４に示したのはこの考案の第１の実施例、図７は、第２の実施例である。図５は実施例１にボトル口を形成する作業の説明図で、軟質袋１の袋地をクリップ部２で表裏からはさみ、ハサミ４を用いて袋地を切開する。ボトル口３を、軟質袋１の袋地でデイスペンサーのキャップ７との間にはさみ込む必要上、袋の折りしろＳを残す。液剤が満杯のときは袋の底が長円形を呈しているので安定に自立できるが、軟質袋１の一層安定な自立を援けるためワイヤー製の架台９を設けることができる。【０００６】図７は第２実施例で、軟質袋の肩角部にボトル口３を設ける場合の設計である。軟質袋１をハサミで切開するとき、第１実施例と同様な折しろＳを設ける。袋を立てて置くときの安定化を援ける架台９を付属させるとよい。
【考案の効果】
【０００７】この考案は袋口に対するクリップ部とボトル口部の基部が一体に成型されており、軟質袋を切開した袋地が、キャップとボトル口部間に密に螺締されるので、従来のような詰め替え作業の不快さや、作業失敗の際の無駄な消費は確実に防止されるのみならず、簡単な架台を併用するだけで軟質袋を使用の場所において日常の利用に供することができる。
【図面の簡単な説明】
【図１】第１実施例の展開主面図
【図２】同じく拡大平面図
【図３】同じく拡大正面図
【図４】同じく拡大右側面図
【図５】同じくボトル口を形成する作業の説明図
【図６】図５の作業後、軟質袋を消去し、デイスペンサーポンプを取付け、かつ架台で支持させた説明図
【図７】第２実施例の展開立面図
【図８】同じくボトル口を形成する作業の説明図
【図９】デイスペンサーポンプを取付けた  第２実施例に架台を設ける作業の説明図
【図１】
0003111398.tif 000003
【図２】
0003111398.tif 000004
【図３】
0003111398.tif 000005
【図４】
0003111398.tif 000006
【図５】
0003111398.tif 000007
【図６】
0003111398.tif 000008
【図７】
0003111398.tif 000009
【図８】
0003111398.tif 000010
【図９】
0003111398.tif 000011
【手続補正書】
【提出日】平成17年3月24日(2005.3.24)
【手続補正１】
【補正対象書類名】実用新案登録請求の範囲
【補正対象項目名】全文
【補正方法】変更
【補正の内容】
【実用新案登録請求の範囲】
【請求項１】
軟質袋（１）に対応するクリップ部（２）とボトルキャップに対応するボトル口部（３）とを有してなり、前記クリップ部（２）はたがいにほぼ同長かつ長手においてたがいに向き合って並ぶ一対の棹体（２１），（２２）の一端部を弾性的に接続するとともに、前記棹体（２１），（２２）の他端部をたがいに係留可能に形成してなり、
前記ボトル口部（３）は一対のたて半割筒（３１），（３２）の基部をそれぞれ前記した棹体（２１，）（２２）と一体に形成するとともに前記たて半割筒（３１），（３２）の筒面に螺条（３３）を設け、
前記たて半割筒（３１），（３２）と前記ボトルキャップの筒面間に、軟質袋１を切開した袋地をはさんで螺締できるようにしてなるクリップキャップ。
(57)【要約】【課題】  ローライズのボトムを着用しても、背部におけるボトムと上衣との隙間から見えにくく、腹部を冷やす虞のないアンダーシャツを提供すること。【解決手段】  背面下端縁３ａを前面下端縁２ａに比べて高い位置に設けてある。背面下端縁３ａを下方に凹に湾曲しても良いし、前面下端縁２ａを下方に凸に湾曲しても良く、この場合、裁断縁のほつれ止め処理が不要な生地を素材として、裁断縁を切りっぱなしにするのが望ましい。【選択図】          図１
0003111344.tif 000002
【実用新案登録請求の範囲】
【請求項１】
背面下端縁を前面下端縁に比べて高い位置に設けたことを特徴とするアンダーシャツ。
【請求項２】
前記背面下端縁が下方に凹に湾曲している請求項１に記載のアンダーシャツ。
【請求項３】
前記前面下端縁が下方に凸に湾曲している請求項１又は２に記載のアンダーシャツ。
【請求項４】
裁断縁のほつれ止め処理が不要な生地を素材とし、前記背面下端縁及び前面下端縁を切りっぱなしとする請求項２又は３に記載のアンダーシャツ。
【考案の詳細な説明】
【技術分野】
【０００１】
本考案は、キャミソール、タンクトップ、Ｔ形アンダーシャツ等のアンダーシャツに関する。
【背景技術】
【０００２】
近年、股上が浅くて、ウェスト開口縁が身体のウェストラインよりも低い位置にある、所謂ローライズのボトムが多く着用され、これに合わせて丈の短い上衣が好まれるようになっている。
ところが、ローライズのボトムを着用して身体を前に曲げると、ボトムのウェスト開口縁の後部中央が下方に引っ張られると共に、上衣の背面側の裾がずり上がって、その隙間から下着が見えてしまう。
従来、このような事態を防ぐためには、下着を着用しないか、或いは、非常に丈の短い下着を着用するしかなかった。しかし、これでは、温度に敏感な腹部を下着で覆うことができないので、腹部が冷えて健康上好ましくない。
【考案の開示】
【考案が解決しようとする課題】
【０００３】
本考案が解決しようとする課題は、ローライズのボトムを着用しても、背部におけるボトムと上衣との隙間から見えにくく、腹部を冷やす虞のないアンダーシャツを提供することにある。
【課題を解決するための手段】
【０００４】
本考案のアンダーシャツは、背面下端縁を前面下端縁に比べて高い位置に設けてある。
背面下端縁が下方に凹に湾曲しても良い。
また、前面下端縁が下方に凸に湾曲しても良い。
下端縁を湾曲させる場合は、裁断縁のほつれ止め処理が不要な生地を素材とし、背面下端縁及び前面下端縁を切りっぱなしとするのが望ましい。
【考案の効果】
【０００５】
請求項１に係る考案によれば、ローライズのボトムを着用して、身体を前に折り曲げても、背面において上衣とボトムとの間に形成される隙間から下着が見えることがなく、しかも、腹部が下着で被覆されるので冷えを防止できる。
請求項２に係る発明によれば、前身頃と後身頃との両側部における接合部分に段差ができず、上衣とボトムとの間に最も広く隙間ができる背面中央部であっても下着が見えない。
請求項３に係る発明によれば、前身頃と後身頃の両側縁における接合部分に段差ができず、腹部を確実に覆うことができる。
請求項４に係る発明によれば、湾曲した縁を折り返して止め付ける端処理が不要となるため、周長の異なる部位同士を止め付けることによって発生する皺を無くし、加工の手間を省くことができ、端処理部分が肌に当たる違和感も防ぐことができる。
【考案を実施するための最良の形態】
【０００６】
図１及び図２は、キャミソール型のアンダーシャツ１を示す。図１は、アンダーシャツ１の背面図、図２は、アンダーシャツ１の正面図である。
アンダーシャツ１は、胸部を隠す高さに達する前身頃２と後身頃３とを縫着して筒状に形成すると共に、前身頃２の上端両側部と後身頃３の上端両側部間にそれぞれストラップ４を架設して成る。
前身頃２及び後身頃３は、伸縮性があり、裁断縁がほつれにくい生地、例えば、ポリエステル、ウレタン等の合成繊維、或いは、これら合成繊維と綿との混紡繊維を素材とするレース地、トリコットのような生地を使用している。
そして、前身頃２及び後身頃３の裁断縁、即ち、前身頃２の下端縁２ａ及び上端縁２ｂと、後身頃３の下端縁３ａ及び上端縁３ｂは、全てほつれ止め処理を施さず、切りっぱなしとなっている。
【０００７】
前身頃２の両側縁と後身頃３の両側縁とは同じ長さに形成され、前身頃２の下端縁２ａは下方に凸に湾曲し、後身頃３の下端縁３ａは下方に凹に湾曲している。
従って、前身頃２の両側縁と後身頃３の両側縁とを縫着すると、後身頃３の下端縁３ａは前身頃２の下端縁２ａよりも高い位置にある。
【０００８】
このアンダーシャツ１の上から上衣を着用すると共に、股上の浅いローライズのジーンズ等をはくと、前身頃２の下端縁２ａがウェストラインよりも下方に達して腹部を覆い、冷えを防ぐ。
また、身体を前に曲げると、ボトムのウェスト開口部の背面中央部が下方に引っ張られると共に、上衣の裾が上方に引き上げられて、背面に大きな隙間ができるが、高い位置にある後身頃３の下端縁３ａも上衣と共に引き上げられるため、アンダーシャツ１がこの隙間を通して見えることはない。
【０００９】
図３は、Ｔシャツタイプのアンダーシャツ１を示す。
このアンダーシャツ１は、前身頃２と、後身頃３と、両側の袖５とから成る。
前身頃２，後身頃３及び袖５は、ほつれ止め処理の不要な生地を素材として形成され、前身頃２の下端縁２ａ、後身頃３の下端縁３ａ、襟刳り、袖端縁はほつれ止め処理が施されずに、切りっぱなしとなっている。
また、前身頃２の両側縁と後身頃３の両側縁とは同じ長さに形成され、前身頃２の下端縁２ａは下方に凸に湾曲し、後身頃３の下端縁３ａは下方に凹に湾曲しているため、後身頃３の下端縁３ａは前身頃２の下端縁２ａよりも高い位置にある。
その他の構成は、図１及び図２に記載のものとほぼ同様である。
【００１０】
なお、アンダーシャツはタンクトップであっても良く、裁断縁がほつれやすい通常の生地を素材とする場合には、前身頃及び後身頃の下端縁、襟刳り、袖端部等の裁断縁にほつれ止め処理を施す。
【図面の簡単な説明】
【００１１】
【図１】キャミソール型のアンダーシャツの背面図。
【図２】キャミソール型のアンダーシャツの正面図。
【図３】Ｔシャツ形のアンダーシャツの背面図。
【符号の説明】
【００１２】
１  アンダーシャツ
２  前身頃
２ａ  前身頃の下端縁
２ｂ  前身頃の上端縁
３  後身頃
３ａ  後身頃の下端縁
３ｂ  後身頃の上端縁
４  ストラップ
５  袖
【図１】
0003111344.tif 000003
【図２】
0003111344.tif 000004
【図３】
0003111344.tif 000005
(57)【要約】【課題】  指や物体で押して窪ませたり、曲げたりして像を歪ませて楽しむ歪み像鏡を提供する。【解決手段】  曲げること、および／または、押して窪ませることのできるシート状の鏡２と、曲げること、および／または、押して窪ませることのできるプレート１を重ね、係止して歪み像鏡を形成する。安全のため、重ねた鏡とプレートの縁部をマスキングする。または、プレートの表面面積よりも鏡の表面面積を狭くし、鏡の周囲に鏡で覆われないプレートの表面を露出させる。手や物体で鏡をプレートと共に窪ませたり曲げたりして、像を歪ませることができる。【選択図】    図５
0003111345.tif 000002
【実用新案登録請求の範囲】
【請求項１】
曲げること、および／または、押して窪ませることのできるシート状の鏡と、曲げること、および／または、押して窪ませることのできるプレートを重ね、係止してなる歪み像鏡。
【請求項２】
曲げること、および／または、押して窪ませることのできるシート状の鏡と、曲げること、および／または、押して窪ませることのできるプレートを重ねて係止し、前記重ねた鏡とプレートの縁部を布またはプラスチックシートよりなる周縁覆いで覆ってなる歪み像鏡。
【請求項３】
曲げること、および／または、押して窪ませることのできるプレートと、該プレートの表面面積よりも狭い表面面積の、曲げること、および／または、押して窪ませることのできるシート状の鏡を重ねて係止し、かつ、該鏡の外周側に前記鏡で覆われない前記プレートの環状表面を現出させてなる歪み像鏡。
【考案の詳細な説明】
【技術分野】
【０００１】
この考案は、鏡面を手や足または物体で押し、または曲げて、像を歪ませて楽しみ、かつ、脳を刺激して脳の発育を助長する歪み像鏡に関するものである。
【背景技術】
【０００２】
従来、凹面鏡および凸面鏡がある。凹面鏡は凹型湾曲の内面側を反射面とするものである。凸面鏡は、凸型湾曲の表側を反射面とするものである。
【特許文献１】広辞苑  第２版補訂版、２６９頁、１６０９頁
【考案の開示】
【考案が解決しようとする課題】
【０００３】
従来の凹面鏡および凸面鏡は、鏡面の湾曲が固定しており、人または物体との距離の変化で像が変化するが、人または物体との距離が変わらないときには、像は変化しない。また、像の部分的な変化は見られない。
【課題を解決するための手段】
【０００４】
曲げること、および／または、押して窪ませることのできるシート状の鏡と、曲げること、および／または、押して窪ませることのできるプレートを重ね、係止してなる歪み像鏡を形成する。
【０００５】
安全のために、前記シート状の鏡とプレートを重ねて係止し、前記重ねた鏡とプレートの縁部を布またはプラスチックシートよりなる周縁覆いで覆うか、または、前記プレートの表面面積よりも狭い表面面積の、前記シート状の鏡を重ねて係止し、かつ、前記鏡の外周側に前記鏡で覆われない前記プレートの環状表面を現出させる。
【考案の効果】
【０００６】
鏡面を手や物体で押すことにより鏡面に窪みを生じ、また、シート状のプレートと共に鏡を曲げることにより鏡面を曲面とし、鏡面に写った像を歪ませることが出来る。この押す力や曲げる力を変化させることにより、窪みの大きさ、形状や曲面形状が変化し、それに応じて鏡面に写る像の歪みが変化する。
上記像の歪みおよび歪みの変化を楽しむことができる。同時にその変化を楽しむことによって幼児や身体障害者の脳を刺激し、脳の発育を助長する。
歪み像鏡は軽く、携帯、移動が容易である。
【考案を実施するための最良の形態】
【０００７】
図１に示すとおり、歪み像鏡は、手や物体による押し圧で、曲げたり窪ませたりすることができるプレート１に、同じく手や物体による押し圧で、曲げたり窪ませたりすることができるシート状の鏡を重ね、接着、縫着、ステイプラーによる係止等により、接合して形成する。
【０００８】
プレート１は、曲げたり窪ませて復元が可能であれば、プラスチック、ゴム等材質を問わないが、ＥＶＡ等の発泡材料で形成するのが好ましい。
【０００９】
鏡２は、曲げたり窪ませて復元が可能であれば、プラスチックや金属を基材として鏡面を形成したもの等基材の材質を問わない。
【００１０】
鏡２は、図１に示すように、プレート１の全面を覆い、鏡２の周囲の側面とプレートの周囲側面と面一にしてもよいが、安全上、図２に示すように、鏡２の表面面積をプレート１の表面面積よりも小さくし、鏡２の周囲にプレートの表面が環状に現出するようにするのが好ましい。図中３が環状表面である。
【００１１】
また、図１に示すように、鏡２がプレート１の表面の全面を覆うように重ねた場合には、安全上、図３に示すように、プレート１と鏡２が重なった縁部を布やプラスチックシート等の周縁覆い４でマスキングしてもよい。
環状覆い４は、図３ではプレート１と鏡２が重なった縁部の表面側と側面側を覆っているが、図４に示すように、鏡２が重なった縁部の表面側、側面側および裏面側を覆ってもよい。
【００１２】
上記いずれの実施例においても、歪み像鏡のいずれかの縁部に１またと２個の孔５を設け、その孔に紐や鎖を取り付けて、歪み像鏡を吊るすことを可能にしてもよい。
【００１３】
この考案に係る歪み像鏡は次のように使用する。
すなわち、歪み像鏡を机や床等の上に置くか、または、壁等に吊るし、図５に示すように指先で押すか、図６に示すように、人形７等物体で押す。鏡２とプレート１は、共に押すと窪む材料よりなるので、鏡の表面に窪み６が生じ、窪み６により、鏡の前の人や物体の像が歪む。指先等の押す箇所を変えたり、押す力を変えると、窪み６の位置が変化したり、窪み６の大きさが変化し、像の歪みが変化する。
歪み像鏡を足で踏んで鏡２の表面を凹凸面とし、鏡に写った像を歪ませることができる。
【００１４】
図７に示すように、両手（図示省略）で歪み像鏡を曲げるか、または、歪み像鏡の下端縁を床や机の上に載置し、片手（図示省略）で上端縁を床等の方向に押して歪み像鏡を曲げると、歪み像鏡の前の人や物体の像が歪む。歪み像鏡を押す力を変えると歪み像鏡の曲がる度合いが変化し、像の歪も変化する。
【図面の簡単な説明】
【００１５】
【図１】歪み像鏡の斜視図である。
【図２】他の実施の形態の歪み像鏡の斜視図である。
【図３】他の実施の形態の歪み像鏡の断面図である。
【図４】他の実施の形態の歪み像鏡の断面図である。
【図５】歪み像鏡の表面を指先で押して鏡面に窪みが生じた場合の説明図である。
【図６】歪み像鏡の表面を人形で押して鏡面に窪みが生じた場合の説明図である。
【図７】歪み像鏡鏡を曲げた状態の説明図である。
【符号の説明】
【００１６】
１  プレート
２  鏡
３  環状表面
４  周縁覆い
５  孔
６  窪み
７  人形
【図１】
0003111345.tif 000003
【図２】
0003111345.tif 000004
【図３】
0003111345.tif 000005
【図４】
0003111345.tif 000006
【図５】
0003111345.tif 000007
【図６】
0003111345.tif 000008
【図７】
0003111345.tif 000009
(57)【要約】【課題】  切りメス無しで帽状腱膜を吊り上げ、額皺取術を行う専用器械を提供すること。【解決手段】  本考案は、帽状腱膜引っ張り糸の縫い針、帽状腱膜剥離子I型、帽状腱膜剥離子II型を含む。各器械ごとにハンドルと、連接棒と、ヘッドなどとで組み合わせ、セットで使用する。帽状腱膜縫い針のヘッドにエルボーがあり、針先に糸通し穴がある。帽状腱膜剥離子I型のヘッドは長方形の板であり、先がカーブしている。帽状腱膜剥離子II型の連接棒は側面へ曲がり、ヘッドが円形或いは楕円形である。額皺取術(ミニリフト)を実施する際に、帽状腱膜剥離子I型を用いて、帽状腱膜の下を広く分離し、頭蓋骨のトップに小さな切口を入れる。顔全体の皺取術(フェイスリフト)を実施する際に、帽状腱膜剥離子II型を用いて、側頭部のＳＭＡＳ筋膜と帽状腱膜の的移行帯で帽状腱膜を広く剥離し、帽状腱膜縫い針を用いて帽状腱膜を引っ張って固定し、おでこには切口が残らないこと。【選択図】  図１
0003111349.tif 000002
【実用新案登録請求の範囲】
【請求項１】
切りメス無しで帽状腱膜を吊り上げることによって、額皺取術を行う専用器械であって、その専用器械は帽状腱膜縫い針と、帽状腱膜剥離子Ｉ型と、帽状腱膜剥離子ＩＩ型とを含み、各器械がハンドルと、連接棒と、ヘッドとで組み合わせ、セットで使用すること、帽状腱膜縫い針ヘッド（３）の先にエルボーがあり、エルボー針の先に糸通し穴（１０）があり、帽状腱膜剥離子Ｉ型のヘッド（６）は長方形の板であり、先がカーブし、帽状腱膜剥離子ＩＩ型の連接棒（８）が側面へ曲がり、ヘッド（９）が円形であることを特徴とする額皺取術を行う専用器械。
【請求項２】
帽状腱膜縫い針ヘッド（３）の先エルボーのカーブが６５〜８５°であることを特徴とする請求項１に記載の額皺取術を行う専用器械。
【請求項３】
帽状腱膜剥離子ＩＩ型の連接棒（８）が側面へ１５〜３５°曲がることを特徴とする講求項１に記載の額皺取術を行う専用器械。
【請求項４】
帽状腱膜剥離子ＩＩ型のヘッド（９）は楕円形であることを特徴とする請求項１に記載の額皺取術を行う専用器械。
【考案の詳細な説明】
【技術分野】
【０００１】
本考案は医療器械に関し、具体的に顔の皺取り術における帽状腱膜剥離及び吊り引っ張るフールセットの専用手術器械である。
【背景技術】
【０００２】
額皺取術はポピュラーな手術であるので、社会に広く認められている。
【０００３】
しかし、これまでの方法では、切りメスの跡が残り、患者の消耗も大きいので、恐れている方が多いようである。伝統的なフェイスリフトでは、切りメスを入れて帽状腱膜を剥離し固定することができるが、効果が小さい。外国ではチタニウム釘を使って帽状腱膜を頭蓋骨に固定する方法もあり、効果があるが、異物が頭蓋骨に残ることで患者に受け入れにくい欠点がある。
【考案の開示】
【考案が解決しようとする課題】
【０００４】
そこで、本考案の目的は上記課題を解決し、新たに切りメス無しの帽状腱膜吊り上げ額皺取術専用器械を提供し、額皺取術(ミニリフト)を行う際に頭蓋骨のトップに小さな切り口のみを入れて、顔全体の皺取術(フェイスリフト)の場合は額に一切の切リメスを無しにすることができるのである。
【課題を解決するための手段】
【０００５】
上記目的を達成するために、本考案は、切りメス無しで帽状腱膜を吊り上げることによって、額皺取術を行う専用器械であって、その専用器械は帽状腱膜引っ張り糸の縫い針、帽状腱膜剥離子Ｉ型、帽状腱膜剥離子ＩＩ型を含む。各器械ごとにハンドルと、連接棒と、ヘッドなどとで組み合わせ、セットで使用する。その中、帽状腱膜縫い針ヘッドに６５〜８５°のエルボーが付き、針先に糸通し穴がある。帽状腱膜剥離子Ｉ型のヘッドは長方形の板で、先がカーブしている。帽状腱膜剥離子ＩＩ型の連接棒は側面へ１５〜３５°曲がり、ヘッドが円形或いは楕円形である。
【０００６】
本考案の特徴及び利点について、三種類の器械を組み合わせて使用することによって、額皺取術(ミニリフト)を実施する際に、先に頭蓋骨に小さなメスを入れ、帽状腱膜剥離子Ｉ型を使って帽状腱膜の下を広く分離する。その後、帽状腱膜縫い針を用いて帽状腱膜を最大限に吊り上げて固定する。顔全体の皺取術(フェイスリフト)を行う場合は帽状腱膜剥離子ＩＩ型を用いて、側頭部のＳＭＡＳ筋膜と帽状腱膜の的移行帯で帽状腱膜を広く剥離し、帽状腱膜縫い針を用いて帽状腱膜を引っ張って固定し、おでこには切口が残らないこと。ということで、額皺取術(ミニリフト)を行う際に頭蓋骨のトップに小さな切り口のみがあり、顔全体の皺取術(フェィスリフト)の場合は、額に一切の切りメスを無しにする目的を実現したのである。
【考案を実施するための最良の形態】
【０００７】
（具体の実施形態）
図１は帽状腱膜縫い針の構成を示す概略図で、図面が示す通り帽状腱膜縫い針はハンドル（１）と、連接棒（２）と、ヘッド（３）で組み立て、ヘッド（３）の先にエルボー針があり、６５〜８５°曲がり、針先に糸通し穴（１０）がある。ハンドル（１）、連接棒（２）、ヘッド（３）の三つの部分がつながって一体となる。
【０００８】
図２は帽状腱膜剥離子Ｉ型の構成を示す概略図で、図面が示す通り帽状腱膜剥離子Ｉ型はハンドル（４）と、連接棒（５）と、ヘッド（６）とで組み立て、ヘッド（６）が長方形の板で、先がカーブしている。ハンドル（４）と、連接棒（５）と、ヘッド（６）の三つの部分がつながって一体となる。
【０００９】
図３は帽状腱膜剥離子ＩＩ型の構成を示す概略図で、図面が示す通り帽状腱膜剥離子ＩＩ型はハンドル（７）と、連接棒（８）と、ヘッド（９）とで組み立て、連接棒（８）が右側へ１５〜３５°曲がり、ヘッド（９）が楕円形である。
【００１０】
ハンドル（７）、連接棒（８）、ヘッド（９）の三つの部分がつながって一体となる。
【００１１】
額皺取術(ミニリフト)を行う際に、頭蓋骨のトップセンターライン髪生えより２ｃｍの所に１．２ｃｍの冠状切り口を入れて、深さが帽状腱膜の下まで達し、そして帽状腱膜剥離子Ｉ型を挿し入れて、帽状腱膜の下を広く剥離し、前が眉骨まで、両側が側頭部の上エンジまで、後が首と後頭部の境までとする。最後に帽状腱膜縫い針を用いて、五組の縫い糸にて帽状腱膜を最大限に吊り上げて固定する。
【００１２】
顔全体の雛取術(フェイスリフト)を実施する際に、側頭部でＳＭＡＳ筋膜を切り外して吊り上げてから、側頭部のＳＭＡＳ筋膜と帽状腱膜の的移行帯で帽状腱膜剥離子ＩＩ型を挿し入れて、帽状腱膜を広く剥離し、そして上記方法で吊り上げて固定する。
【図面の簡単な説明】
【００１３】
【図１】図１は本考案に係る帽状腱膜縫い針の構成を示す概略図である。
【図２】図２は本考案に係る帽状腱膜剥離子Ｉ型の構成を示す概略図である。
【図３】図３は本考案に係る帽状腱膜剥離子ＩＩ型の構成を示す概略図である。
【符号の説明】
【００１４】
１    ハンドル
２    連接棒
３    ヘッド
４    ハンドル
５    連接棒
６    ヘツド
７    ハンドル
８    連接棒
９    ヘッド
１０  糸通し穴
【図１】
0003111349.tif 000003
【図２】
0003111349.tif 000004
【図３】
0003111349.tif 000005
(57)【要約】  本考案は空気圧力を利用して爆音を発生する一種の玩具装置に関する。該装置は、銃本体と、該銃本体内に配置された空気ポンプ、密封体、および巻取り機構を有する。空気ポンプと密封体とは連接し一体形成される。巻取り機構から引き出されたゴムフィルムは密封体と銃本体の一端に位置する銃口との間に挟まれる。該装置の引き金を引くと、空気ポンプ中に発生した圧縮空気がゴムフィルムを外側に膨張させ、ついには爆裂して爆音が発生する。該装置は機構が簡単で、操作が容易であり、面白く、安全で、かつ音声効果も良好である。
0003111350.tif 000002
【実用新案登録請求の範囲】
【請求項１】
一種の気体爆裂玩具装置であって、銃本体１、電源スイッチ２、ゴムフィルム３、引き金機構４、空気ポンプ５、戻しスプリング６、密封体７、銃口８、巻取り機構９、および電源１０を含むことを特徴とする気体爆裂玩具装置。
【請求項２】
前記ゴムフィルム３が、エマルジョンまたは合成ゴムから作製され、その厚さが１ｍｍ未満で、帯状に形成され、プラスチックフィルムと複合して形成されてもよく、密封体７と銃口８の間に配置されて、密封体７を銃口８へ移動させることにより、ゴムフィルム３をしっかり挟んで密封状態を形成することを特徴とする請求項１に記載の気体爆裂玩具装置。
【請求項３】
前記引き金機構４の上部が、カムギア状に形成され、レバーで空気ポンプ５と密封体７とを銃口８に動かし、戻しスプリング６の作用によって元の位置に戻すことを特徴とする請求項１に記載の気体爆裂玩具装置。
【請求項４】
前記巻取り機構９が、主従ギアと伝導機構から構成され、ゴムフィルム３が先ず従ギアに巻きつき次に主ギアに連結して、主ギアの回転に従って回転し、絶えず使用後のゴムフィルムを主ギアに巻き取り、同時に新しいゴムフィルムを銃口に送ることを特徴とする請求項１に記載の気体爆裂玩具装置。
【考案の詳細な説明】
【技術分野】
【０００１】
本考案は玩具、特に、空気圧力ゴムフィルムが爆音を発生する玩具装置に関する。
【背景技術】
【０００２】
従来、空気圧玩具ピストルは、空気圧によって弾を発射したり、空気圧によって銃発射音をたりするものであるが、効果が不良であり、また安全でもなかった。
【考案の開示】
【考案が解決しようとする課題】
【０００３】
本考案の目的は、圧縮気体をゴムフィルムに作用させ、その膨張を爆裂に至らしめ、さらに、良好な視覚効果と音声効果をもち、かつ何ら傷害をもたらすこともない、一種の気体爆裂玩具装置を提供するこことにある。
【課題を解決するための手段】
【０００４】
すなわち本考案の気体爆裂玩具装置は、引き金機構、ゴムフィルム、空気ポンプ、密封体、銃口、および巻取り機構を含むことを特徴とする。引き金を引くと、空気ポンプと密封体がゴムフィルムを銃口に押し付け、電源を入れて空気ポンプが起動すると、空気がゴムフィルムを押し付け、ゴムフィルムは銃口に膨張し爆裂し爆音を発する。引き金を放して電源が切れると、各部位は元の状態に戻り、引き金は戻しスプリングの作用によって歯車を通過することにより、巻取り機構が銃口に新しいゴムフィルムを提供する。このようにして銃発射過程は完了し、繰り返される。
【考案の効果】
【０００５】
本考案の気体爆裂玩具装置は、その機構が簡単で、操作が容易であり、面白く、安全である。
【考案を実施するための最良の形態】
【０００６】
本考案の一例について添付図を用いて以下に説明する。
図１は本考案の気体爆裂玩具装置の具体例の略図である。以下に添付図に照らして本考案の最善の実施例を説明する。
【０００７】
図１に示すように、本考案は、銃本体１、電源スイッチ２、ゴムフィルム３、引き金機構４、空気ポンプ５、戻しスプリング６、密封体７、銃口８、巻取り機構９、および電源１０を含む。
【０００８】
銃口８は銃本体１に連接し、電源１０は電源スイッチ２を通過して空気ポンプ５に連接し、空気ポンプ５と密封体７とは連接して一体をなして、銃本体１の滑道内を滑動し、巻取り機構９は歯車、歯車レール、および主従ギアから構成される。
【０００９】
本考案の気体爆裂玩具装置の使用時において、引き金４を引くと引き金のカムギア部分が空気ポンプと密封体を銃口８に押し付け、ゴムフィルムがその間に挟まれ、環状の密封部分が形成される。さらに、引き金４は電源スイッチ２を押して空気ポンプ５を起動し、高圧空気が密封体７の中間の穴を通って環状の密封内のゴムフィルムを押し付け、ゴムフィルムを銃口８に向かって外側に膨張させ、爆裂し爆音を発生し、銃発射が完了する。
【００１０】
引き金を放すと電源が切れ、空気ポンプの動作が停止し、引き金は戻しスプリングの作用によって元の位置に戻り、巻取り機構を押して主ギアを回し、爆裂後のゴムフィルムを巻取り、同時にギア上に備えられた新しいゴムフィルムを銃口に引き出し、次の銃発射に備える。
【００１１】
巻取り機構９が引き金機構とは連接せず、銃本体１外面のトリガーに連接し、トリガーを引くことにより巻取り機構９を駆動させることによって、トリガー発射を実現することもできる。
【図面の簡単な説明】
【００１２】
【図１】図１は本考案の気体爆裂玩具装置の具体例の略図である。
【符号の説明】
【００１３】
１  銃本体
２  電源スイッチ
３  ゴムフィルム
４  引き金機構
５  空気ポンプ
６  戻しスプリング
７  密封体
８  銃口
９  巻取り機構
１０  電源
【図１】
0003111350.tif 000003